Podtech/llm-jp-corpus-v4-ja_patent huggingface dataset:
(57)【要約】      （修正有）【課題】使用者の注意を引きつける効果を有効利用可能な、衛生用マスクを一時的に外した際に収容するための、マスク保管用袋を提供する。【解決手段】１辺が開口され、３辺が封止されてマスク収容部を形成している、少なくとも一方の面に情報が表示される。【選択図】図１
0003228078.tif 000002
【実用新案登録請求の範囲】
【請求項１】
１辺が開口され、３辺が封止されてマスク収容部を形成している、少なくとも一方の面に情報が表示された、四角形状のマスク保管用袋。
【考案の詳細な説明】
【技術分野】
【０００１】
本考案は、衛生用マスクを一時的に外した際に収容するための、マスク保管用袋に関する。
【背景技術】
【０００２】
感染症の流行や衛生意識の向上などにより、自宅外ではマスクを着用して過ごす人が増えている。しかし、飲食などマスクを着用したままでは不都合な場面もあり、このような場面ではマスクを一時的に外すことになる。
【０００３】
外したマスクの置き場所や保管方法は、従来意識されることが少なく、テーブル上などに直接置かれることが多かった。衛生用マスクの目的としては、唾液の飛散を防止することが挙げられる。しかし、唾液が付着したマスクをテーブル上に置くと、汚染原因がテーブルに移る原因となり、本末転倒になりうる。また、マスクの使用者としても、衛生が必ずしも保証されない場所に置いたマスクを再び着用するのは、抵抗を覚える場合もある。
【０００４】
特許文献１には、抗菌性の樹脂製シートを中央部で折り曲げて重ね合わせ、この折り曲げ部に隣接する少なくとも一方の辺を溶着して、マスク収納部を形成し、溶着されていない辺をマスクの出入り口としたマスクケースが開示されている。すなわち、２辺または３辺が封止された、樹脂製シートによるマスクケースが提供される。しかしながら、マスクを収容するという動作を行う際には、必然的に手元に注意を向けることになるが、これを利用するという観点において、改善の余地がある。
【先行技術文献】
【特許文献】
【０００５】
【特許文献１】実用新案登録第３１５８３１７号公報
【考案の概要】
【考案が解決しようとする課題】
【０００６】
本考案は、使用者の注意を引きつける効果を有効利用可能な、衛生用マスクを一時的に外した際に収容するための、マスク保管用袋を提供することを目的とする。
【課題を解決するための手段】
【０００７】
上記課題を解決するため、本考案は、１辺が開口され、３辺が封止されてマスク収容部を形成している、少なくとも一方の面に情報が表示された、四角形状のマスク保管用袋を提供する。
【考案の効果】
【０００８】
本考案によるマスク保管用袋は、周囲の衛生を確保し、かつ使用中のマスクを衛生的に保管することを可能にする。加えて、使用者がマスクを収容する際に手元に意識を向けることを利用して、マスク保管用袋に表示された情報を、使用者に認識させることができる。
【図面の簡単な説明】
【０００９】
【図１】本考案によるマスク保管用袋の平面図である。
【考案を実施するための形態】
【００１０】
本考案によるマスク保管用袋において、表示される情報および表示の方法は、任意のものであってよい。具体例としては、マスク保管用袋の配布者である施設や店舗の情報、サービス内容や料金、会員登録の方法やＳＮＳへのリンク情報、利用者への感謝の言葉などを、マスク保管用袋の表面または裏面に印刷することが挙げられる。例えば、友人に連れられて施設や店舗を訪問した利用者には、その名称が認識されず、リピート利用につながらない場合がある。本考案によるマスク保管用袋を利用することによって、各利用者が施設や店舗の名称を認識し、後日の再訪につながることが期待される。また、本考案によるマスク保管用袋は、利用者一人一人が手にすることになる。そのため、会員登録の手順のような複雑な内容の説明であっても、利用者全員が手元で情報を参照することができる。
【００１１】
本考案によるマスク保管用袋を構成する材料として、例えば、紙、ＣＰＰ、ＯＰＰなどを用いることができる。ＣＰＰとは、Ｃａｓｔ  Ｐｏｌｙｐｒｏｐｙｌｅｎｅの略で、無延伸ポリプロピレンを指す。ＯＰＰとは、Ｏｒｉｅｎｔｅｄ  Ｐｏｌｙｐｒｏｐｙｌｅｎｅの略で、二軸延伸ポリプロピレンを指す。ＣＰＰは透明度が比較的高く、切れ目や接合部における引き裂きに強いという特長がある。ＯＰＰフィルムは、張りがあり、透明度が特に高いという特長がある。
【００１２】
上記材料に、銀や銅のような抗菌性に優れる物質を配合することによって、抗菌性を付与してもよい。あるいは、抗菌性を有する材料を積層させることによって、本考案によるマスク保管用袋に抗菌性を持たせることもできる。なお、本考案において、「抗菌性」という用語は、抗菌加工を施さない場合と比較して、表面における細菌の増殖割合が１００分の１以下であることを指す。詳細な検査方法については、ＪＩＳ  Ｚ２８０１：２０１０「抗菌加工製品−抗菌性試験方法・抗菌効果」を参照されたい。
【００１３】
本考案によるマスク保管用袋に用いる材料は、さらなる添加剤を含有してもよい。例えば、抗菌剤に加えて、紫外線吸収剤、顔料、強化剤、エラストマー、帯電防止剤、防曇剤、滑剤などを含んでもよい。
【００１４】
本考案によるマスク保管用袋は、一般的な衛生用マスクを過不足なく収容可能な寸法を有する。市販のマスクの多くは、本体部分が縦８〜１０ｃｍ、横１５〜２０ｃｍ程度の寸法を有する。したがって、この寸法を下限とし、数十％程度大きい寸法が好ましい。
【００１５】
本考案によるマスク保管用袋は、四角形状であり、１辺が開口されている。この開口された辺は、任意の１辺であってよい。すなわち、マスク保管用袋が長方形である場合、長辺が開口されていても、短辺が開口されていてもよい。
【００１６】
本考案によるマスク保管用袋は、開口された１辺に口ズレを有してもよい。すなわち、袋体をなす表裏２枚の材料の一方が、他方に対して数ミリメートル程度長くてもよい。このような口ズレを有することによって、マスク保管用袋を開いてマスクを中に収容する作業が容易となる。あるいは、開口された１辺の一部に切り欠きを設けることによっても、同様の効果を実現することができる。
【００１７】
あるいは、本考案によるマスク保管用袋は、開口された１辺に、折り返して開口辺を封じるための蓋部を有してもよい。蓋部は、例えば、袋体をなす表裏２枚の材料の一方が、他方に対して延長されることによって形成される。蓋部を有することによって、マスク保管用袋を開いてマスクを中に収容する作業が容易となる。また、裏表の区別が明確になり、蓋部を折り返す際に特に視線を誘導することができる。
【００１８】
なお、本考案は上記の実施形態に限定されるものではなく、本考案の趣旨に基づいて種々変形させることが可能であり、それらを本考案の範囲から排除するものではない。
【図１】
0003228078.tif 000003
(57)【要約】      （修正有）【課題】独居老人や退職した会社員に生きがいを与えることができるテレビ会議システムを活用した懇親会システムを提供する。【解決手段】懇親会システムは、カメラまたはスマートフォンからなる撮影手段と、マイクまたはスマートフォンからなる音声送信手段と、撮影手段で撮影した映像を表示可能で、音声送信手段を用いテレビを通じて送受信するテレビ会議システムとを備え、複数のテレビ会議システムがネットワークで接続されている。【選択図】図１
0003228080.tif 000002
【実用新案登録請求の範囲】
【請求項１】
テレビ会議の技術を活用した懇親会システム
【請求項２】
懇親会の相手が家族である請求項１システム
【請求項３】
懇親会の相手が友人・知人である請求項１システム
【考案の詳細な説明】
【技術分野】
【０００１】テレビ会議システムを活用した懇親会システム
【背景技術】テレビ会議と同様な映像と、音声を伝える技術【０００２】上記の技術はオフィスで活用されているテレビ会議技術である。
【考案の概要】
【考案が解決しようとする課題】
【０００３】老人の独り者は、金はあってもさみしく、孫と夕食を食べたいものである。退職した会社員も一人になった女性も同様である。
【課題を解決するための手段】一定期間、有償で貸与すれば十分楽しんで頂ける。
【考案の効果】寂しさゆえの自殺や躁鬱症も減少し、老人やひとり者にも大きな生きがいを与えることになる。
【図面の簡単な説明】
【図１】このシステムの概念図
【図１】
0003228080.tif 000003
【手続補正書】
【提出日】令和1年12月30日(2019.12.30)
【手続補正１】
【補正対象書類名】実用新案登録請求の範囲
【補正対象項目名】全文
【補正方法】変更
【補正の内容】
0003228080.tif 000004
【手続補正書】
【提出日】令和2年5月24日(2020.5.24)
【手続補正１】
【補正対象書類名】実用新案登録請求の範囲
【補正対象項目名】全文
【補正方法】変更
【補正の内容】
【実用新案登録請求の範囲】
【請求項１】
テレビ（モニターテレビ含む）、カメラ、マイク、スマホを使用して、離れた場所にいる知人、友人、親せき、家族等と相互の画像や音声を、１０分以上送・受信するシステム。
【請求項２】
食事やお茶しながら懇親する請求項１のシステム。
【請求項３】
学習や、ピアノ、バイオリンなどをお特定多数の人に教えるための請求項１のシスエム。
【手続補正書】
【提出日】令和2年6月6日(2020.6.6)
【手続補正１】
【補正対象書類名】実用新案登録請求の範囲
【補正対象項目名】全文
【補正方法】変更
【補正の内容】
【実用新案登録請求の範囲】
【請求項１】
カメラまたはスマートフォンからなる撮影手段と、マイクまたは
スマートフォンからなる音声送信手段と、前期撮影手段で撮影した映像を表示可能で
あると共に、前記音声送信手段を用いテレビを通じて送受信するテレビ会議システムを備え、
複数の前期テレビ会議システムがネットワークで接続されている懇親会システム。
(57)【要約】      （修正有）【課題】銀行、郵便局等の金融機関や病院などにおいて、来店・来院の客に悪い心理的効果を与えることなく、風邪やインフルエンザなどの咳や会話による飛沫感染の危険性が高い時期に安心感を与える飛沫感染防止用アクリルパーテーションを提供する。【解決手段】アクリル板を用いた正面板１と、正面板の両側面にトルク蝶番３を用いて回動可能に構成し、安易には動かない側板２を設ける。正面板の上部に吊り下げ用の穴７を設けて置けば地震時の転倒を防止することも可能である。【選択図】図１
0003228065.tif 000002
【実用新案登録請求の範囲】
【請求項１】
透明のアクリル板からなる正面板と、正面板の両側面に蝶番を用いて回動可能に接続された側板で構成される受付カウンタ上に設置するパーテーションであって、保管時は側板を折り畳むことで嵩張らず、使用時には側板を正面板に対して概ね９０度開いてカウンタ上に設置することができ、正面板や側板に触れても簡単に動いてしまわぬよう蝶番はトルク蝶番を用いたことを特徴とする飛沫感染防止用アクリルパーテーション。
【考案の詳細な説明】
【技術分野】
【０００１】  この発明は、主として金融機関や病院などの接客用の窓口に設置して、応対時の咳や会話による飛沫感染性を防止させることができる飛沫感染防止用の遮蔽装置に関する。
【背景技術】
【０００２】  銀行、郵便局等の金融機関や病院などには、接客用の窓口が設けられており、窓口にはカウンタが設けられ、立位あるいは椅子に腰かけて応対や手続きを行うようになっている。
冬季は風邪やインフルエンザなどの病気が多くなり、咳や会話による飛沫感染の危険性が高くなるが、カウンタには正面にも側面にもパーテーションなどの仕切りがないため、正面や横の人との飛沫感染を防ぐにはマスクを用いる以外手段がない。
【先行技術文献】
【特許文献】
【０００３】  公開実用昭和５６−０２７２６１に防犯スクリーンの構成が記されているが、スクリーンとカウンタは常時固定されているため、窓口担当者と来店・来院の客は常時スクリーン越しに応対することになる。
しかし、窓口担当者と来店・来院の客を常時スクリーンで仕切ってしまうと来店・来院の客は疑われているという思いが出てくるし、横の人に対しては無防備である。
【考案の概要】
【考案が解決しようとする課題】
【０００４】  かかる従来技術によるときは、窓口は、カウンタテーブル上のスクリーンで遮蔽されているので犯罪防止への効果は期待できるだろうが、来店・来院の客に与える悪い意味での心理的な効果が大きい。【０００５】  そこで、この考案の目的は、かかる従来技術の問題に鑑み、必要に応じてスクリーンを設置したり撤去することができ、かつ、撤去時は折り畳んで保管できる飛沫感染防止用アクリルパーテーションを提供することにある。
【課題を解決するための手段】
【０００６】  かかる目的を達成するためのこの考案の構成は、無色透明なアクリル板を用いた正面板と、正面板の両側面に回動可能であって、安易には動かない側板を設けることで必要時のみ設置できることをその要旨とする。【０００７】  正面板の両側面にある側板はトルク蝶番を用いることで、側板は回動可能であって安易に閉じたり開いたりすることがない。したがって、不用意に転倒することを防止できる。【０００８】  正面板の上部に吊り下げ用の穴を設けて置けば地震時の転倒も防止することが可能である。【０００９】  ここでは無色透明なアクリル板と称したが、色や透明度については設置する環境に応じて任意であるし、強度によってはポリカーボや他の樹脂を用いても良い。
【考案の効果】
【００１０】  かかる発明の構成によるときは、無色透明な遮蔽板は、通常時は設置することなく、冬季の風邪やインフルエンザなどの病気が懸念される時期に設置することで、来店・来院の客に感染防止対策の意識を持たせることで安心感を与えるものである。
【図面の簡単な説明】
【００１１】
【図１】全体図（使用時）
【図２】来店・来院客時の使用例（側面図）
【図３】全体図（側板折畳み時）
【図４】正面板（受渡口・会話口あり）
【図５】正面板（受渡口のみ）
【図６】正面板（会話口のみ）
【図７】正面板（受渡口・会話口なし）
【符号の説明】１・・・正面板
２・・・側板
３・・・トルク蝶番
４・・・クッション材
５・・・会話口
６・・・受渡口
７・・・吊り下げ用穴
【図１】
0003228065.tif 000003
【図２】
0003228065.tif 000004
【図３】
0003228065.tif 000005
【図４】
0003228065.tif 000006
【図５】
0003228065.tif 000007
【図６】
0003228065.tif 000008
【図７】
0003228065.tif 000009
(57)【要約】      （修正有）【課題】内視鏡機器の先端が予想外に体内奥深くに落ち込むことにより、内臓、血管や神経などの重要組織を損傷させることを防止する器具を提供する。【解決手段】弾性素材でできた厚みのある円盤状で、円の中心には内視鏡径より少し太い穴があり、その穴から円盤の外まで１本の切込みがある器具１であって、円盤状の器具を皮膚３や支えになるものの上に置き、切込みを広げることで、その中心に内視鏡２を挟むように設置でき、その厚みで内視鏡が体内深くに落ち込む事を防ぐことができる。【選択図】図２
0003228064.tif 000002
【実用新案登録請求の範囲】
【請求項１】
内視鏡機器の体内への落ち込み防止に用いる、切り込みがあり着脱の容易な円盤状の器具
【考案の詳細な説明】
【技術分野】
【０００１】この考案は内視鏡手術機器の体内への落ち込み防止器具に関する。
【背景技術】
【０００２】内視鏡手術で、内視鏡手術機器の先端が予想外に体内に落ち込み臓器、血管や神経などの重要組織を損傷させることがある。
【先行技術文献】
【０００３】
【非特許文献】
【非特許文献】吉田宗人著  脊椎内視鏡下手術  ２０１７医学書院
【考案の概要】
【考案が解決しようとする課題】
【０００４】内視鏡手術機器の落ち込みを防止する器具を作ること。
【課題を解決するための手段】
【０００５】以上の課題を解決するために、内視鏡手術機器の先端が体内に大きく落ち込むのを防止するために、内視鏡手術機器の周りに設置する、切り込みのある着脱容易な器具を考案した。
【考案の効果】
【０００６】内視鏡手術機器の先端が体の奥に落ち込みそうになった時に、上部の太い部分や取っ手がこの器具に当たり大きく落ち込む事を防止できる。
【図面の簡単な説明】
【０００７】
【図１】この器具の考案の一実施形態を示す。斜め上からの模式図である。
【図２】内視鏡手術の実際の様子を模式図で示す。
【考案を実施するための形態】
【０００８】この考案の器具の実施形態を図１に示す。ゴム、シリコン、プラスチックなどの弾性のある素材で作られた厚みのある円盤状の器具である。中心部に、内視鏡の直径より少し大きな穴が開いている。その穴から円盤の外まで、一本の切り込みが入っている。
【０００９】「実施形態の効果」
内視鏡手術機器は通常、円筒形で体内に入る部分は真っすぐである。手術時の操作で機器の先端が予想外に体の奥に落ち込み、重要組織を傷つけることがある。体内に入らない反対側には、取っ手や、カメラの接続部などがあり太くなっている。今回考案した器具を、図２で示すように内視鏡を取り囲むように皮膚又は動かない組織の上に置く。落ち込みそうになった時には、上部の太い部分や取っ手がこの器具に当たり、先端が大きく落ち込むことを防止できる。また円盤に切り込みがあることで、切り込みを広げれば容易に内視鏡の周囲に取り付けたり外したりすることが出来る。複数枚使用したり、厚みの異なるものを用意すれば高さの調節も可能である。
【００１０】「他の実施形態」
円盤状でなく、三角や四角やその他の形でも良い。
【符号の説明】
【００１１】１．落ち込み防止器具
２．内視鏡手術機器
３．皮膚
【図１】
0003228064.tif 000003
【図２】
0003228064.tif 000004
【手続補正書】
【提出日】令和2年5月28日(2020.5.28)
【手続補正１】
【補正対象書類名】実用新案登録請求の範囲
【補正対象項目名】全文
【補正方法】変更
【補正の内容】
【実用新案登録請求の範囲】
【請求項１】
弾性素材でできた厚みのある円盤状で、円の中心には内視鏡径より少し太い穴があり、その穴から円盤の外まで１本の切込みがある器具。
【請求項２】
円盤状の器具を皮膚や支えになるものの上に置き、切込みを広げることで、その中心に内視鏡を挟むように設置でき、その厚みで内視鏡が体内深くに落ち込む事を防ぐことができる請求項１に記載の器具。
(57)【要約】      （修正有）【課題】ベビーゲートにより床面とゲートとの間に段差ができて躓いたり転倒するリスクを減らし安全性の高いベビーゲートを提供する。【解決手段】ベビーゲートは、スロープ状の台座を具備する。ベビーゲートの底部を台座中央にはめ込むことで、段差が解消され躓きや転倒の危険性を排除できる。【選択図】図１
0003228063.tif 000002
【実用新案登録請求の範囲】
【請求項１】
従来の物にスロープ状の台座を加えることで、床面とゲートとの段差を解消し躓きや転倒のリスクを減らしたより安全性の高いベビーゲート。
【考案の詳細な説明】
【技術分野】
【０００１】
本校案は小さな子供が危険な場所へ行ったりペットが脱走する事を防止するベビーゲートに関わるものである。
【背景技術】
【０００２】
現在販売されているベビーゲートはロックを二重にして子供が容易に開けられないようになっていたり、閉め忘れても自動でゲートが閉まりロックするなど主に何かを「通さない」という点に重きを置いている。
【考案の概要】
【考案が解決しようとする課題】
【０００３】
しかしながら、開閉式ということはそのゲートを開けて通る存在がいる。従来のベビーゲートは、その通る存在に関しては配慮がされて来なかった。
【０００４】
ゲートを設置することによって床とゲートとで段差が生まれる。ゲートを通る際にその段差に躓いてしまうという恐れがある。
【０００５】
例えば小さな子供を抱きかかえながらゲートを通る時は腕の中に子供がいる為に足元が見えにくい。夜にお手洗いに行く等暗い中でゲートを通る時も足元が見えにくく、寝起きの場合は頭も覚醒しきっていない為、躓く危険性はさらに高まる。
【０００６】
また二世帯住宅の場合や、家に老人がいる場合は通過する際に躓くだけでなく転倒の危険もある。本来子供やペットに対して安全性を確保する為の道具だがそれ以外の存在に関しては怪我の危険性を高める恐れのある物となってしまっている。
【０００７】
更に、掃除機を使用する時等はそのゲートを通過する際に本体を持ち上げて通らなくてはならない。掃除は一般的には毎日するものである為、掃除機を使用する度に本体を持ち上げて出入りするのは面倒である。
【０００８】
本校案は以上のような従来の欠点に鑑み、大人たちが躓く危険性を減らし日常生活において邪魔になりにくいベビーゲートの提供を目的としている。
【課題を解決するための手段】
【０００９】
本考案にかかるベビーゲートには置き型のスロープ状の台座を併せて設置できるようにしてある。台座は窪んだ富士山型をしており、窪んだ部分にゲートをはめ込む仕様となっている。
【００１０】
図面で示すスロープ状台座は一体型のものであるが、三角柱の形状をした物を両サイドに置くようなセパレート式のものであっても良い。その際は台座がゲートから離れていかないようにテープで固定したり裏面に滑り止めをあしらう等の加工が必要である。
【考案の効果】
【００１１】
スロープができることで床面とゲートとでできる段差が大きく解消されるため、躓く危険性が各段に下がる。
【００１２】
掃除機等も持ち上げずに出入りできるようになり、掃除の際の手間も解消される。
【００１３】
更に従来の固定具に加えて台座がゲートの支えにもなる為、ゲート自体の緩みや転倒防止にもなりゲート本体の安全性を上げることにも繋がる。
【００１４】
上記のような理由から子供やペットのみならず共に暮らす人全員の安全に配慮したベビーゲートの提供を可能にした。
【図面の簡単な説明】
【００１５】
【図１】本校案の全体図を示す図である。
【考案を実施するための形態】
【００１６】
スロープ状の台座をおき、その窪みにゲートをはめ込む。大まかな置き位置を決定したら固定具を使用してゲートを壁や柱の間に固定する。
【００１７】
台座は図のように一体型でも良いし、同じ形状の物を両サイドに配置するセパレート型でも良い。
【図１】
0003228063.tif 000003
【手続補正書】
【提出日】令和2年2月10日(2020.2.10)
【手続補正１】
【補正対象書類名】実用新案登録請求の範囲
【補正対象項目名】全文
【補正方法】変更
【補正の内容】
【実用新案登録請求の範囲】
【請求項１】
従来の様に壁や柱の間に固定し、子供やペットが危険な場所に入ることを防止するための開閉式ベビーゲートにスロープ状の台座を加えることで床面とゲートとの段差を解消して躓きや転倒のリスクを減らしたより安全性の高いベビーゲート。
【手続補正書】
【提出日】令和2年6月25日(2020.6.25)
【手続補正１】
【補正対象書類名】実用新案登録請求の範囲
【補正対象項目名】全文
【補正方法】変更
【補正の内容】
【実用新案登録請求の範囲】
【請求項１】
従来の様に壁や柱の間に固定し子供やペットが危険な場所に入るのを防止することを目的とした、上部にあるレバーを引くことでロックが解除され開くことのできるゲートの底部に中央が窪んだ略富士山型の上からはめ込む仕様である台座を具備することで、床とゲートとの台座を解消し躓きや転倒のリスクが減ったより安全性の高い開閉式ベビーゲート。
(57)【要約】      （修正有）【課題】電気ドリルでビスをねじ込む時、落としたり、横倒れ等を防止できる電気ドリル用ビス保持具を提供する。【解決手段】透明なビニール製のビス保持具本体１の一端に、ビス挿入部２と補強部４を設け、他端を電気ドリル７のドライバー６の挿入部とした電気ドリル用ビス保持具である。【選択図】図２
0003228036.tif 000002
【実用新案登録請求の範囲】
【請求項１】
ビス保持具本体（１）は、ビニール製とし、かつ透明であることを特徴とする電気ドリル用ビス保持具。
【請求項２】
ビス保持具本体（１）の一端、ビス挿入部（２）には、切り裂き部（８）を二箇所設けて、ビス（５）を挿入しやすくした請求項１記載の電気ドリル用ビス保持具。
【請求項３】
ビス保持具本体（１）に補強部（４）を設けて挿入されたビス（５）を確保することとした、請求項２記載の電気ドリル用ビス保持具。
【請求項４】
ビス挿入部（２）の先端部にリング状マグネット（９）を装着した請求項２記載の電気ドリル用ビス保持具。
【考案の詳細な説明】
【技術分野】
【０００１】  この考案は、電気ドリル７のドライバー先端に、ビス保持具本体１を装着して、使用するビス５の落下、横倒れを防止するものである。
【考案の開示】
【考案が解決しようとする課題】
【０００２】  この発明の目的とすることは、電気ドリル７でビス５を回転させるときに、ビス５が落下したり、横倒れして安定しない、これらを解決するための手段を提供することにある。【０００３】  この考案は、以上の諸欠点を解決して、簡単で安価な電気ドリル用ビス保持具を提供しようとするものである。
【課題を解決するための手段】
【０００４】  この考案を図面に基づき説明すると、図１に示すように、ビス保持具本体１のビス挿入部２には切り裂き部８を設けてビス５の挿入を楽にし、更に補強部４を設けてビス５を確保することとした構成を基本として成る電気ドリル用ビス保持具である。
【考案の効果】
【０００５】  従来は電気ドリルでビス５を使用して仕事をする時、落下したり、横倒れすることがあったが、この考案の電気ドリル用ビス保持具を使用することにより、これらの問題は解決されるのである。
【考案を実施するための最良の形態】
【０００６】  基本的には図１に示したように、ビス挿入部２、補強部４、ドライバー挿入部３から成るビス保持具本体１を構成するものである。【０００７】  更に重要なことは、ビス挿入状態を確認するために、透明でなければならないので、必然的にビニール素材を使用することになる。これが本考案の最良の形態の由縁である。【０００８】又、試作では、ビス挿入部２に、リング状のマグネットを嵌め込んで使用してみたが、かなりの好結果が得られた。しかしながら高額になるのは致し方ない。
【図面の簡単な説明】
【０００９】
【図１】この考案の実施例を示す斜視図である。
【図２】この考案の使用状態を示す斜視図である。
【符号の説明】
【０００９】１  ビス保持具本体
２  ビス挿入部
３  ドライバー挿入部
４  補強部
５  ビス
６  ドライバー
７  電気ドリル
８  切り裂き部
９  リング状マグネット
【図１】
0003228036.tif 000003
【図２】
0003228036.tif 000004
(57)【要約】      （修正有）【課題】パッティングストロークを容易にすることができ、ストロークの開始から最終までクラブヘッドの打面の開閉を抑制し目標に対して正確なストロークを行うことができるパタークラブを提供する。【解決手段】パタークラブのシャフト３内の一部にウエイト棒４が挿着され、ウエイト棒はクラブヘッド側に接着剤により固着され、さらにウエイト棒は、金属材料により形成され、その長さは２０〜４０ｃｍとされている。【選択図】図３
0003228038.tif 000002
【実用新案登録請求の範囲】
【請求項１】
クラブヘッド、シャフト及びグリップからなるパタークラブにおいて、前記シャフト内の一部にウエイト棒が挿着されていることを特徴とするパタークラブ。
【請求項２】
前記ウエイト棒は、前記クラブヘッド側に接着剤により固着されていることを特徴とする請求項１記載のパタークラブ。
【請求項３】
前記ウエイト棒は、金属材料により形成され、その長さは２０〜４０ｃｍとされていることを特徴とする請求項１または２記載のパタークラブ。
【請求項４】
前記ウエイト棒は、複数の異なる重さあるいは長さの組み合わせにより構成されていることを特徴とする請求項１〜請求項３の何れかに記載のパタークラブ。
【考案の詳細な説明】
【技術分野】
【０００１】本考案は、パタークラブに関するものである。
【背景技術】
【０００２】パタークラブは主にゴルフボールを打撃するクラブヘッド、それを左右に振るシャフト、そして前述二点にグリップを加えた３つのパーツで構成されており、パッティングストロークの安定化を図るためにこれまで長年にわたりこれらの構成パーツの形状変更や重量調整など様々な改良、改善がなされ実用化されている。
【先行技術文献】
【特許文献】
【０００３】
【特許文献１】特開２０１６−１５０２３５号公報
【考案の概要】
【考案が解決しようとする課題】
【０００４】ゴルフプレーに於いてパッティンググリーン上でパタークラブを使い目標に対して真っ直ぐボールを転がす、表現を変えて説明すればクラブヘッドの打面の向きを変えずにボールを打撃することに等しい。このことはパッティングの動作が非常に困難な作業であることを意味している。それ故、打面の方向を一定に保ち尚且つ左右のストロークを容易にすることがパタークラブの長年の課題であるが、この解決手段としてこれまでは主にクラブヘッドやグリップにおける改良、改善が多くなされており、シャフトに着目して改善等がなされたものは長尺シャフトを除きあまりなかった。シャフトに着目して改善等がなされたものは例えば特許文献１に示すようなシャフト全体の重量を考慮されたものが公知となっているが、パタークラブの新規製作には有効であるが既存のシャフトに適用する場合にはシャフト全体の取り換えが必要となり実用的ではなかった。【０００５】本考案は上記課題を解決するため、既存のシャフトにも調整可能で、かつ安定したパッティングストロークができるパタークラブを提供することを目的とする。
【課題を解決するための手段】
【０００６】上記目的を達成するため、本考案のパタークラブは、シャフト内の一部にウエイト棒が挿着され、前記ウエイト棒はクラブヘッド側に接着剤により固着され、さらに前記ウエイト棒は、金属材料により形成され、その長さは２０〜４０ｃｍとされていることを特徴としている。
【考案の効果】
【０００７】本考案のパタークラブを使用すれば、クラブヘッドに対する重量バランスが向上するため、容易に左右のストロークを促進させ、打面であるクラブフェースのストローク中の開閉を抑制し、目標に対して正しくボールを転がすことが可能になる。さらに使用中のクラブにも対応可能であるため低コストでバランス調整を行うことができる。
【図面の簡単な説明】
【０００８】
【図１】本考案に係るパタークラブの外観斜視図である。
【図２】図１に示すパタークラブの要部の拡大斜視図である。
【図３】図２に示す拡大斜視図でシャフト中心軸を含む面で切り取って内部を表した拡大断面図である。
【図４】図２のＡ−Ａ線の拡大断面図である。
【考案を実施するための形態】
【０００９】以下、本考案に係るパタークラブ１の実施の形態について図１〜図４に基づいて説明する。
【００１０】図１または図２において１はパタークラブで、主にクラブヘッド２、シャフト３及びグリップ６の３つのパーツより構成され、それぞれ着脱可能となっている。シャフト３は金属製の中空パイプで、図３が示すようにシャフト３内のクラブヘッド２側の一部にウエイト棒４が挿着され、エポキシ系接着剤５により固着されている。このウエイト棒４は円筒状の金属棒で、クラブヘッド２の重量や重心位置などを考慮してその長さまたは重量が決められる。具体的には、一般的なクラブヘッドであればクラブヘッド２の重量の２分の１乃至３分の１の重量のウエイト棒４が最適であり、長さに換算すれば概ね２０ｃｍ〜４０ｃｍとなる。
【００１１】ウエイト棒４は上述の長さ範囲内の数種類の長さの金属棒に加え、予め複数の例えば５グラム単位の長さの金属棒も用意しておけば、請求項４に記載するようにこれらの組み合わせで最適な重量を微調整することができる。
【００１２】なお、エポキシ系接着剤５は事前に全周又は一部に塗布するとともにウエイト棒４の挿入後にシャフト３の開口部から注入すれば図４に示すようにウエイト棒４とシャフト３の内壁との空隙をなくすことができ、シャフト３とウエイト棒４との一体化固定を行うことができる。
【００１３】また、使用中の既存のシャフトに本考案のウエイト棒４を組み込む場合には、シャフト３をクラブヘッド２のシャフト挿入口２ａから抜き、ウエイト棒４を挿入してエポキシ系接着剤５で固着すればよい。
【００１４】ウエイト棒４の固着は実施例では金属間の接着に有効なエポキシ系接着剤を用いているが、シャフト３やウエイト棒４が金属以外の材質である場合にはこれらに有効な他の接着剤を使用すればよい。
【００１５】上述のように、ウエイト棒４はシャフト３内で強固に固着されシャフト３と一体化しているため、クラブヘッド２に対するパタークラブ１の全体の重量バランスが向上し、プレーヤーがストロークを行う動作中、クラブヘッドを振る感覚ではなく、シャフト３を左右に振る感覚を得ることができる。このため、容易に左右のストロークを促進させ、打面であるクラブフェース２ｂのストローク中の開閉を抑制し目標に対して正確にボールを転がすことが可能となる。
【００１６】なお。実施例はＬ型形状のクラブヘッドであるが、マレット型などあらゆるタイプのクラブヘッドのパタークラブにも可能である。
【符号の説明】
【００１７】    １      パタークラブ
２      クラブヘッド
２ａ    シャフト挿入口
２ｂ    クラブフェース（打面）
３      シャフト
４      ウエイト棒（金属棒）
５      エポキシ系接着剤
６      グリップ
【図１】
0003228038.tif 000003
【図２】
0003228038.tif 000004
【図３】
0003228038.tif 000005
【図４】
0003228038.tif 000006
(57)【要約】      （修正有）【課題】ベルト状の回転水フィルター、各種駆動モーター、超音波噴霧装置等を不要とした極めてシンプルな構造にして、節電と共に冷却能力を高めた冷風機ならぬ通風冷気発生装置を提供する。【解決手段】通風枠１０１の下部にスタンド１０２と水を貯留する水タンク１０３を設け、通風枠内にその上下と水タンク内に延在する複数の水フィルター１０４を設けたことを特徴とする。【選択図】図１
0003228034.tif 000002
【実用新案登録請求の範囲】
【請求項１】
通風枠の下部にスタンドと水を貯留する水タンクを設け、通風枠内と前記水タンク内に延在する複数本の水フイルターを設けたことを特徴とする通風冷気発生装置。
【考案の詳細な説明】
【技術分野】
【０００１】  本考案は、外部の送風機等により吹き付けた空気又は換気での通風を水の気化熱を利用して冷却して冷気にし通過させる利便性に優れたシンプルな通風冷気発生装置に関する。
【背景技術】
【０００２】＜従来の技術＞
水の気化熱を利用した冷風扇としては特許文献１（：実開平２−１０３６１２号公報）に開示された冷風扇の構造及び特許文献２（：実開平６−３２９２１号公報）に開示された冷風扇の構造がある。【０００３】  特許文献１にて開示された冷風扇は図３にて示すように、本体ケース１内の下部には水を貯留する水タンク２が設けられ、水タンク２の上方にはファン３が設けられている。また、前記本体ケース１の裏面側には気化熱冷却式のエアフィルター４が取付けられると共に本体ケース１の正面側には吹出口５が形成され、前記本体ケース１内における前記エアフィルター４と前記ファン３との間には電動モーターで回転するエンドレスベルト状の水フィルター６が設けられている。
前記冷風扇の冷却能力をあげるには、冷風扇を大きくしなければならず、冷風扇の冷却能力を上げると共に小型化を図ることは困難である。
さらに、この冷風扇においてはファン３の回転駆動モーターと水フィルター６の回転駆動モーターとが必要であり、運転時における消費電力が大きくなる。【０００４】  特許文献２にて開示された冷風扇の構造を図４にて説明する。
この考案の構造と効果は、「水を貯留する水タンク１０と外部から空気を取り入れると共に取り入れた空気を外部へ吹き出させるファン１１とを本体ケース９内に設け、さらに、本体ケース内における空気の流れ方向と交差する位置に水フィルター１５を設け、本体ケース内における空気の流れ方向にそった前記水フィルター１５の上流側に前記水タンク内の水を噴霧させる超音波噴霧装置を設けたので、超音波噴霧装置１６の駆動により発生した噴霧を水フィルター１５に付着させると共に付着した噴霧に対して空気を当てることによりその噴霧を気化させ、空気から気化熱を奪うと共に気化熱を奪われて冷却された空気を冷風として本体ケース９外へ吹き出させることができ、そして、超音波噴霧装置１６は微小な水滴の噴霧を多量に発生させることができるため、水フィルター１５の表面積を小さくしても高い冷却能力を得ることができると共に冷風扇の小型化を図ることができ、しかも、従来例の冷風扇において使用しているベルト状の水フィルターを回転駆動させる電動モーターが不必要になると共に超音波噴霧装置を駆動する消費電力が小さいため、全体としての消費電力を小さくすることができる。」としている。
【先行技術文献】
【特許文献】
【０００５】
【特許文献１】実開平２−１０３６１２号公報
【特許文献２】実開平６−３２９２１号公報
【考案の開示】
【考案が解決しようとする課題】
【０００６】  本考案は、この特許文献１及び特許文献２の双方の問題点を解決するものである。
即ち、本考案は、ベルト状の回転水フィルター、各種駆動モーター、超音波噴霧装置等を不要とした極めてシンプルな構造にして、節電と共に冷却能力を高めた冷風機ならぬ通風冷気発生装置を提供するものである。
【課題を解決するための手段】
【０００７】  本考案は、前記した課題に適応する優れた通風冷気装置でありその技術的特徴は、次の（１）の通りである。
（１）、通風枠の下部にスタンドと水を貯留する水タンクを設け、通風枠内と前記水タンク内に延在する複数本の水フィルターを設けたことを特徴とする通風冷気発生装置。
【考案の効果】
【０００８】  本考案は、ベルト状の回転水フィルター、各種駆動モーター、超音波噴霧装置等を不要とした極めてシンプルな構造にして、節電と共に冷却能力を高めた通風冷気発生装置である。
【図面の簡単な説明】
【０００９】
【図１】本考案の実施例を示す正面説明図である。
【図２】図１の矢視Ａ−Ａからの縦断面説明図である。
【図３】特許文献１で紹介の冷風機を示す図面である。
【図４】特許文献２で紹介の冷風機を示す図面である。
【考案を実施するための態様】
【００１０】  本考案を実施するための実施例を図１〜図２により詳細に説明する。
【実施例】
【００１１】  図１〜図２において、本例の通風冷気発生装置１００は、矩形又は円形の通風枠１０１と、通風枠１０１の下部に設けたスタンド１０２と、通風枠１０１の下部に設け水を貯留する水タンク１０３と、通風枠１０１内にその上下と前記水タンク１０３内に延在する複数本の水フィルター１０４とからなる。
通風枠１０１は、扇風機２００の風下或いは換気用空気の流路内に配置すればよい。
スタンド１０２は、キャリア１０２−１を備えて移動及び通風向きを自在に変更可能にしてあり、通風枠１０１の下枠の側部の両側部に設けられ通風冷気発生装置１００全体を衝立風に安定支持する。
水タンク１０３は自動給水管１０３−１と排水管１０３−２を有しており、通風枠１０１の下枠と一体的に形成してある。
水フィルター１０４は、扇風機からの衝風を或いは換気用空気を直角に受けて補水の気化熱を効率よく奪い冷気化して室内等を冷却する。
水フィルター１０４は、横断面が円柱、角柱、楕円柱、流線柱、波型柱等棒状、或いは短冊状等の形状にして上部を通風枠１０１の上枠に連結支持し、下部を水タンク１０３内に浸漬して連結してあり、材質的には水タンク１０３内の水を毛細管現象で吸水するスポンジ状材、海綿体状材、多孔体状材、織布等の繊維体状材等公知の材質があげられる。
また水フィルター１０４は、通風方向に並列配列、ジグザク配列、これらの混合配列等して通風との接触を効率的に可能にして冷気化効果を高めることが好ましい。
これで水フィルター１０４は、吸い上げた水分を通風と接触させて気化熱を奪い冷気化して室内に拡散し清涼するのである。
【産業上の利用可能性】
【００１２】  本考案は前記の優れた作用効果を有する利便性に優れた通風冷気発生装置であり、一般家庭は勿論、各種の事務所の冷房の省エネ化に貢献すること多大なものである。
【符号の説明】
【００１３】１００：通風冷気発生装置
１０１：通風枠
１０２：スタンド
１０２−１：キャリア
１０３：水タンク
１０４：水フィルター
２００：扇風機
【図１】
0003228034.tif 000003
【図２】
0003228034.tif 000004
【図３】
0003228034.tif 000005
【図４】
0003228034.tif 000006
(57)【要約】      （修正有）【課題】ラチェットレンチの頂部に打撃部を設け、１丁の工具でラチェットレンチとハンマーの２通りの使い方が出来るラチェットレンチを提供する。【解決手段】ラチェットレンチのボルト、ナットを回すソケット４を囲う頂部１の左右にハンマーとして使う打撃部２を設け、１丁の工具でラチェットレンチとしてボルト、ナットの締付と弛めと、ハンマー作業の２通りの作業が出来るのを特徴としたラチェットレンチ。【選択図】図１
0003228031.tif 000002
【実用新案登録請求の範囲】
【請求項１】
ラチェットレンチのソケットを囲っている頂部の左右に打撃部を設け、ハンマー作業とソケットでボルト、ナットの締付、弛めが出来る、ラチェットレンチ。
【請求項２】
請求項１記載の、ラチェットレンチのソケットを囲っている頂部の片方に刃先を設け、打撃力を刃先に伝えケレン作業、他方に打撃部を設けハンマー作業、ソケットでボルト、ナットの締付、弛めが出来る、ラチェットレンチ。
【考案の詳細な説明】
【技術分野】
【０００１】  本考案は、組立足場の組立、解体で使用するラチェットレンチに関するものである。
【背景技術】
【０００２】  図２、に示すように従来のラチェットレンチはボルト、ナットを回すソケットを囲う頂部は丸い構造の為、頂部をハンマーとして使う事が出来なかった。これまで足場の組立、解体ではハンマーとラチェットレンチを携帯し、その都度必要な工具を腰ベルトから差し替えて作業を行っている。【０００３】  足場の組立、解体作業では常に工具は直ぐに使えるように携帯する為、狭い作業環境では腰の道具が作業の障害になっている。幅の狭い足場上の作業では携帯する工具を少なくする工夫が求められている。
【先行技術文献】
【０００４】
【特許文献１】実用新案登録第３１１３３６４号
【考案の概要】
【考案が解決しようとする課題】
【０００５】  ラチェットレンチの頂部に打撃部を設け、１丁の工具でラチェットレンチとハンマーの２通りの使い方が出来るラチェットレンチを提供する。【０００６】  特許文献１、に示したラチェットレンチはハンマーで頂部を叩き打撃力を柄の先端に伝える構造で、ハンマーとして柄を持ち叩く事が出来るが、使用箇所によっては力が伝わらず作業効率が悪い。
【課題を解決するための手段】
【０００７】  本考案は従来の問題点に着目し、ラチェットレンチのボルト、ナットを回すソケットを囲う頂部の左右にハンマーとして使う打撃部を設け、ラチェットレンチとハンマーの２通りの使い方が出来るのを特徴としたラチェットレンチ。【０００８】  本考案のラチェットレンチの頂部の片方に刃先を設けケレン作業、他方の打撃部でハンマー作業、ソケットでボルト、ナットの締付、弛めが出来る、ラチェットレンチ。【０００９】  本考案のラチェットレンチの柄に滑り止めを設けた、ラチェットレンチ。
【考案の効果】
【００１０】  高所で行う足場の組立、解体作業では携帯する工具を減し、腰ベルトからの差し替えが無く、危険要因の除去になる。【００１１】  １丁のラチェットレンチでボルト、ナットの締付、ハンマー作業、ケレン作業の３通りの作業が出来るので、狭い作業環境でも腰ベルトの携帯工具が少ないので動き易く作業効率が良くなる。
【図面の簡単な説明】
【００１２】
【図１】本考案の実施形態に係るラチェットレンチの平面図。
【図２】従来のラチェットレンチの平面図。
【図３】本考案の第一実施形態に係るラチェットレンチの立面図。
【図４】本考案の第二実施形態に係るラチェットレンチの平面図。
【図５】本考案の第二実施形態に係るラチェットレンチの一部斜視図。
【考案を実施するための形態】
【００１３】  図１、図３、に示した、ラチェットレンチのボルト、ナットを回すソケット４、１４を囲っている頂部１の左右に打撃部２、３を設け、柄５を持ちハンマー作業と、ラチェットレンチとしてソケット４、１４をボルト、ナットに嵌め、締付、弛めが出来るラチェットレンチを実現した。
【実施例１】
【００１４】  図１、図３、に示したラチェットレンチのボルト、ナットを回すソケット４、１４を囲っている頂部１の左右に打撃部２、３を設け、ハンマー作業時は柄５を持ち打撃部２、３を用いてハンマー作業と、ソケット４、１４をボルト、ナットに嵌め締付、弛めが出来る、ラチェットレンチ。
【実施例２】
【００１５】  図４、図５、に示したラチェットレンチのボルト、ナットを回すソケット４、１４を囲っている頂部１の片方に刃先９を設け打撃力を刃先９に伝えケレン作業、他方に打撃部２を設けハンマー作業が出来る、ラチェットレンチ。
【実施例３】
【００１６】  図１、図４、に示したラチェットレンチの柄５に滑り止めの握り部６を設け、柄５の先端が尖った、しの７を設け番線の縛り、穴合わせが出来る、ラチェットレンチ。
【産業上の利用可能性】
【００１７】  組立足場は狭い作業環境なので携帯する工具を減らす事が出来、作業ごとの腰ベルトから工具の差し替えが無くなり、１丁のラチェットレンでボルト、ナットの締付、ハンマー作業、ケレン作業が出来る。
【符号の説明】
【００１８】１、頂部                    ２、打撃部                    ３、打撃部
４、ソケット                ５、柄                        ６、握り部
７、しの                    ８、切替えレバー              ９、刃先
１４、小径ソケット
【図１】
0003228031.tif 000003
【図２】
0003228031.tif 000004
【図３】
0003228031.tif 000005
【図４】
0003228031.tif 000006
【図５】
0003228031.tif 000007
(57)【要約】      （修正有）【課題】前近代の日記史料に記されている自然現象の多様な記事をデータベース化する際に、史料テキストを入力するだけでなく、事前に作成した記号表を使用してそれらに対応した記号や数字を入力することで、史料テキストのデータの構造化を実施し、データベース化を促進させる日記史料の自然現象記事のデータベース化用記号表を提供する。【解決手段】データベース化用記号表は、日記史料にある多様な自然現象の表記欄の右側に、その自然現象表記に対応するアルファベットと数字で指定される記号欄を設けた自然現象の記号表と、日記史料にある多様な時間表記欄の右側に、その時間表記に対応する現行時刻が数字で指定される時刻欄を設けた前近代の時間表記に関する対応表と、からなる。自然現象と時間に対応する記号や数字を作成して一覧表にまとめており、史料テキストの入力と共にデータを構造化することにより、データベース化の促進に役立つ。【選択図】図１
0003228087.tif 000002
【実用新案登録請求の範囲】
【請求項１】
前近代の日記史料に記されている自然現象と時間の記事についてデータベースを作成するために、それらの多様な表記に対応する記号や数字を作成し、史料のテキストデータに特定の記号や数字を付与することを特徴とする、日記史料の自然現象記事に関するデータベース化用記号表。
【考案の詳細な説明】
【技術分野】
【０００１】  本考案は、前近代の日記史料に記されている自然現象と時間の記事をデータベース化する際に、史料のテキストデータに付与する記号や数字の一覧表に関するものである。
【背景技術】
【０００２】  前近代の日記史料に記されている自然現象と時間の記事には、現代とは異なる多様な表現があり、コンピューターを用いた意味の判別は困難であることから、日記史料を活用した自然現象のデータベース化は進展していない。
【先行技術文献】
【非特許文献】
【０００３】
【非特許文献１】西山昭仁「歴史地震研究と日記史料有感地震データベース」（今村文彦監修・鈴木親彦編、デジタルアーカイブ・ベーシックス  第２巻  災害記録を未来に活かす、勉誠出版、２７４ｐｐ．）２０１９年、ｐ．１９８−２１３。
【考案の概要】
【考案が解決しようとする課題】
【０００４】  日本史学における学術的な史料である前近代の日記史料は、同時代に成立した信頼性の高い史料であり、天候や地震など様々な自然現象の記事が数多く記されている連続記録である。これらの記事は、観測機器による観測データが皆無である前近代における自然現象について研究する際に、基礎データとして活用できる。しかし、日記史料に記されている自然現象や時間に関する記事には現代とは異なる多様な表現があり、コンピューターを用いた意味の判別やテキストの構造化は現状では困難であるために、日記史料の自然現象記事に関するデータベース化は進展していない。そこで本考案は、日記史料に記されている自然現象と時間の多様な表記に対応した記号や数字を作成してデータの構造化を実施し、データベース化を促進しようとするものである。
【課題を解決するための手段】
【０００５】  本考案は、日記史料に記されている自然現象と時間の多様な記事について、それぞれに対応する記号や数字を作成して一覧表にし、日記史料の自然現象記事をテキストデータ化してデータベースに組み込む際に、史料テキストの入力と共に記号や数字を入力してデータを構造化することにより、データベース化に関する課題を解決している。
【考案の効果】
【０００６】  上記のように、本考案における日記史料の自然現象記事に関するデータベース化用記号表を事前に用意しておき、データベース化の際に使用することで、日記史料に記されている自然現象と時間の多様な記事を入力する際に、史料テキストのデータの構造化が容易に実施できるようになる。これは、膨大な数量が現存している前近代の日記史料の自然現象記事に関して、データベース化の促進と活用に役立つ。
【図面の簡単な説明】
【０００７】
【図１】本考案におけるデータベース化用記号表のうち自然現象に関する記号表である。
【図２】本考案におけるデータベース化用記号表のうち時間に関する対応表である。
【考案を実施するための形態】
【０００８】  本考案におけるデータベース化用記号表は、日記史料に記されている天候や地震など自然現象に関するもの（図１）と、それらの自然現象が発生した時間に関するもの（図２）との２つからなる。自然現象の記号表（図１）では、日記史料にある多様な表記とそれに対応する記号がアルファベットと数字で指定されている。数字は自然現象の程度の違いを示しており、自然現象の違いだけでなくその程度の違いによっても、史料テキストのデータを構造化できるようにしている。また、前近代の時間表記に関する対応表（図２）では、日記史料にある多様な表記とそれに対応する現行時刻が数字で指定されており、史料テキストのデータの構造化が容易にできるようになっている。
【実施例】
【０００９】  本考案における記号表を使用したデータベースへの入力の実施例を説明する。日記史料に「子刻、晴」と記されていた場合、「子刻」の史料テキストを入力した後に続けて、図２の「子刻」に対応する「２３：００−０１：００」を入力し、「晴」の史料テキストを入力した後に続けて、図１の「晴」に対応する「Ｗｆ」を入力する。これによって、日記史料の記事をデータベース化した際に、画面上には「子刻」や「晴」と表示されるが、コンピューター内部では史料テキストではなく、それに対応した「２３：００−０１：００」や「Ｗｆ」といった数字や記号でデータが運用されることになる。本考案について、日記史料のデータベース化に使用することで、データベース化後の利便性や拡張性を向上させる効果がある。
【図１】
0003228087.tif 000003
【図２】
0003228087.tif 000004
【手続補正書】
【提出日】令和2年6月4日(2020.6.4)
【手続補正１】
【補正対象書類名】実用新案登録請求の範囲
【補正対象項目名】全文
【補正方法】変更
【補正の内容】
【実用新案登録請求の範囲】
【請求項１】
日記史料にある多様な自然現象の表記欄の右側に、前記日記史料にある多様な自然現象の表記に対応するアルファベットと数字で指定される記号欄からなる自然現象の記号表と、日記史料にある多様な時間表記欄の右側に、前記日記史料にある多様な時間表記に対応する現行時刻が数字で指定される時刻欄からなる前近代の時間表記に関する対応表とからなる、日記史料の自然現象記事に関するデータベース化用記号表。